(57)【要約】【課題】  テーマと要素項目を決めた場合に、そのテーマと要素項目に関係のないことを話をしているかどうかを量的に評価した結果をリアルタイムで司会者に知らしめて、意味のある討論会となるシステムを得る。【解決手段】  本発明の評価支援システムは、複数の話者Ａｉ（Ａ１、Ａ２、・・・Ａ６）の話者端末ａｉ（ａ１、・・ａ６）とサーバ３と解析者端末４と司会者端末５とをＬＡＮで接続し、話者Ａｉのマイクロホン６ｉ（６ａ、６ｂ、・・・６ｆ）とサーバ３とをケーブルで接続し、司会者が示したｎ２法による要素項目（テーマ、要素）とに対しての話者Ａｉの話の状況を量的に示して、話がテーマと要素に沿った内容になるよう支援する。【選択図】  図１
2009098740.tif 000002
【特許請求の範囲】
【請求項１】
与えた討議項目を討議者に討議させて、その話の内容を、解析者端末に送信して該解析者端末からの補正値情報で前記討議者の討議内容の量を補正して担当者の画面に表示する討議評価支援方法であって、
番号順に７本の横線を及び該７本の横線に前記要素項目を対応させて、上位の横線毎に、その上位の横線より下位の番号となる下位の各横線に１本毎に縦線を繋げると共に、下位の横線毎に、その下位の横線より番号が上位の各横線に１本毎に縦線を繋げ、かついずれの横線も自分の横線に線を繋げて、この線及び前記縦線に管理番号を割付けた要素関連表を記憶した第１の記憶手段と、
前記要素項目に関連する単語を記憶した第２の記憶手段と、
分類テーブルが生成される第３の記憶手段と、
前記討議者毎に、備えられたマイクロホンとを備え、
前記要素関連表の管理番号と該管理番号の要素項目とを対応させ、かつ前記単語の書き込み領域を有する分類テーブルを生成するステップと、
前記要素関連表を読み出して、前記担当者の画面に表示するステップと、
前記要素関連表の縦線又は前記自分の横線に繋げた線が指定されたとき、その線が繋がっている横線の要素項目を前記話者端末に送信するステップと、
前記マイクロホンからの音声信号を解読し、該音声データから前記第２の記憶手段に記憶されている単語を認識するステップと、
前記認識した単語に一致する前記要素項目が前記分類テーブルに存在したとき、該要素項目の管理番号に対応する前記書込領域に前記認識した単語を書き込むステップと、
前記分類テーブルの管理番号に対応する前記認識した単語の数を計数するステップと、
前記管理番号の計数値に応じた色値を求め、該色値を求めた計数値に対応する前記管理番号が割付けられている前記縦線又は前記自分と繋げた線を前記求めた色値の色で表示させるステップと
を行うことを特徴とする討議評価支援方法。
【請求項２】
前記要素関連表は、
中央に正六角形をおいて周囲の６個の正六角形及び中央の正六角形に、討議する異なる要素項目を書き込んだｎ２法正六角形群の７個の正六角形の番号順に７本の横線を及び該７本の横線に前記要素項目を対応させて、上位の横線毎に、その上位の横線より下位の番号となる下位の各横線に１本毎に縦線を繋げると共に、下位の横線毎に、その下位の横線より番号が上位の各横線に１本毎に縦線を繋げ、かついずれの横線も自分の横線に線を繋げて形成していることを特徴とする請求項１記載の討議評価支援方法。
【請求項３】
前記カウント値及び要素項目は前記解析者端末に送信して画面に表示させるステップと、
前記マイクロホンのいずれかを選択して解析者のレシーバに送信させるステップと、
該解析者端末からの、パラメータ値を用いて所定の計算式で求めた補正値で前記計数値を修正するステップと
を行うことを特徴とする討議評価支援方法。
【請求項４】
与えた討議項目を討議者に討議させて、その話の内容を、解析者端末に送信して該解析者端末からの補正値情報で前記討議者の討議内容の量を補正して担当者の画面に表示する討議評価支援プログラムであって、
番号順に７本の横線を及び該７本の横線に前記要素項目を対応させて、上位の横線毎に、その上位の横線より下位の番号となる下位の各横線に１本毎に縦線を繋げると共に、下位の横線毎に、その下位の横線より番号が上位の各横線に１本毎に縦線を繋げ、かついずれの横線も自分の横線に線を繋げて、この線及び前記縦線に管理番号を割付けた要素関連表を記憶した第１の記憶手段と、
前記要素項目に関連する単語を記憶した第２の記憶手段と、
分類テーブルが生成される第３の記憶手段と、
前記討議者毎に、備えられたマイクロホンとを備え、
コンピュータが、
前記要素関連表の管理番号と該管理番号の要素項目とを対応させ、かつ前記単語の書き込み領域を有する分類テーブルを生成する手段、
前記要素関連表を読み出して、前記担当者の画面に表示する手段、
前記要素関連表の縦線又は前記自分の横線に繋げた線が指定されたとき、その線が繋がっている横線の要素項目を前記話者端末に送信する手段、
前記マイクロホンからの音声信号を解読し、該音声データから前記第２の記憶手段に記憶されている単語を認識する手段、
前記認識した単語に一致する前記要素項目が前記分類テーブルに存在したとき、該要素項目の管理番号に対応する前記書込領域に前記認識した単語を書き込む手段、
前記分類テーブルの管理番号に対応する前記認識した単語の数を計数するカウンタ手段、
前記管理番号の計数値に応じた色値を求め、該色値を求めた計数値に対応する前記管理番号が割付けられている前記縦線又は前記自分と繋げた線を前記求めた色値の色で表示させる手段
としての機能を実行するための討議評価支援プログラム。
【請求項５】
前記要素関連表は、
中央に正六角形をおいて周囲の６個の正六角形及び中央の正六角形に、討議する異なる要素項目を書き込んだｎ２法正六角形群の７個の正六角形の番号順に７本の横線を及び該７本の横線に前記要素項目を対応させて、上位の横線毎に、その上位の横線より下位の番号となる下位の各横線に１本毎に縦線を繋げると共に、下位の横線毎に、その下位の横線より番号が上位の各横線に１本毎に縦線を繋げ、かついずれの横線も自分の横線に線を繋げて形成していることを特徴とする請求項４記載の討議評価支援プログラム。
【請求項６】
前記コンピュータが、
前記カウント値及び要素項目は前記解析者端末の画面に送出して表示させる手段、
前記マイクロホンのいずれかを選択して解析者のレシーバに送信させる手段、
該解析者端末からの、パラメータ値を用いて所定の計算式で求めた補正値で前記計数値を修正する手段
としての機能を実行するための請求項４又は５記載の討議評価支援プログラム。
【請求項７】
司会者端末と討議者端末と解析者端末とサーバとを通信ネットワークで接続する一方、話者毎にマイクロホンを設けて、このマイクロホンからの音声信号を受信するための解析者の音声レシーバとを備えて、与えた討議項目を討議者に討議させて、その話の内容を、前記解析者端末に送信して該解析者端末からの補正値情報で前記討議者の討議内容の量を補正して担当者の画面に表示する討議評価支援システムであって、
前記司会者端末は、
番号順に７本の横線を及び該７本の横線に前記要素項目を対応させて、上位の横線毎に、その上位の横線より下位の番号となる下位の各横線に１本毎に縦線を繋げると共に、下位の横線毎に、その下位の横線より番号が上位の各横線に１本毎に縦線を繋げ、かついずれの横線も自分の横線に線を繋げて、この線及び前記縦線に管理番号を割付けた要素関連表を記憶した第１の記憶手段と、
前記第１の記憶手段から要素関連表を読み出して画面に表示させ、該要素関連表で指定された縦線の管理番号に対応する要素項目を読み出して、前記討議者端末及び解析者端末に送信する手段と、
前記サーバから補正値情報を受信し、該補正値情報の管理番号に対応する前記横線又は自分を繋げた線を該補正値情報の色値で色別表示する手段と、
前記要素関連表の全ての管理番号及びこれらの管理番号に対応する要素項目並びに話をさせる前記討議者の番号を含む話者検討識別情報を生成して前記サーバに送信する手段と
を備え、
前記サーバは、
前記要素項目に関連する単語を記憶した第２の記憶手段と、
分類テーブルが生成される第３の記憶手段と、
前記話者検討識別情報を受信し、この話者検討識別情報に含まれている管理番号と該管理番号の要素項目とを対応させ、かつ前記単語の書き込み領域を有する分類テーブルを生成する手段と、
前記話者検討識別情報に含まれている話者の番号に対応するマイクロホンからの音声信号を解読し、該音声データから前記第２の記憶手段に記憶されている単語を認識する手段と、
前記認識した単語に一致する前記要素項目が前記分類テーブルに存在したとき、該要素項目の管理番号に対応する前記書込領域に前記認識した単語を書き込む手段と、
前記分類テーブルの管理番号に対応する前記認識した単語の数を計数し、この計数値を前記解析者端末からの補正値で補正した補正値情報を前記司会者端末に送信する手段と
を有することを特徴とする討議評価支援システム。
【請求項８】
中央に正六角形をおいて周囲に６個の正六角形を配列した正六角形群を表示し、これらの六角形に、討議する異なる要素項目を書き込ませた２法正六角形群を読み込み、各正六角形の番号に対応する前記横線の近傍に各要素項目を書き込んで前記要素関連表を生成する手段と
を有することを特徴とする請求項７記載の討議評価支援システム。
【発明の詳細な説明】
【技術分野】
【０００１】
本発明は、与えた討議項目を討議者に討議させて、その話の内容を、解析者端末に送信して該解析者端末からの補正値情報で前記討議者の討議内容の量を補正して担当者の画面に表示する討議評価支援方法に関する。
【背景技術】
【０００２】
一般に司会者が決めたテーマについて討論会、会議、検討会等を行うと、参加者は初めはテーマに沿った内容の話をするが、次第にテーマと関係のない別のことを参加者が話し始める傾向にある。そして、結果として討論会は実りのないものとなる場合が多々ある。
【０００３】
このため、司会者は各自の話を聞きながら内容がテーマに沿っているかを評価して、テーマに沿っていない場合は、その話者に対して注意を促す。
【０００４】
また、面接試験ではテーマに対して自由に発言させて、その発言内容を評価する場合もある。
【０００５】
例えば、特許文献１（特願２００５−１０８４６号公報）は、評価項目を設け、この評価項目に点数を入れて、集計時に所定の重み付け係数を乗じて評価するものである。
【０００６】
また、あるプロジェクトについて実りのある討論会、会議、検討会等を行には、どのような事がどこまで検討されたかを量的にも質的にも認識できるのが好ましい。
【０００７】
そして、プロジェクトは単純なものから複雑なものがあり、当然、これらを検討する項目は多岐に渡る。従って、討論会、会議、検討会等を行うには、検討項目を予め決めて、それぞれの検討項目に対して話合うのがよい。
【０００８】
このような話し合いの手助けにＮ２法がある。Ｎ２法は、中央に正六角形をおいて、この中央の正六角形の周囲に要素を書き込みする正六角形をおいて、中央の正六角形に書き込まれたテーマと、周囲の正六角形の要素項目とについて検討をしていくものである。
【特許文献１】特願２００５−１０８４６号公報
【発明の開示】
【発明が解決しようとする課題】
【０００９】
しかしながら、あるプロジェクトについてＮ２法による検討会を行ったとしても、参加者によっては次第にテーマと要素項目に関係がない話をしていく傾向にある。
【００１０】
特に、テレビの討論会においては、司会者が各自の話をよく聞いていなと、司会者自信がテーマと要素項目に関係のない話をしているかどうかが分からなくなり、結果としてテレビ討論会が意味をなさない場合もある。
【００１１】
本発明は、テーマと要素項目を決めた場合に、そのテーマと要素項目に関係のないことを話をしているかどうかを量的に評価した結果をリアルタイムで司会者に知らしめて、意味のある討論会となるシステムを得ることを目的とする。
【課題を解決するための手段】
【００１２】
本発明の討議評価支援方法は、与えた討議項目を討議者に討議させて、その話の内容を、解析者端末に送信して該解析者端末からの補正値情報で前記討議者の討議内容の量を補正して担当者の画面に表示する討議評価支援方法である。
【００１３】
番号順に７本の横線を及び該７本の横線に前記要素項目を対応させて、上位の横線毎に、その上位の横線より下位の番号となる下位の各横線に１本毎に縦線を繋げると共に、下位の横線毎に、その下位の横線より番号が上位の各横線に１本毎に縦線を繋げ、かついずれの横線も自分の横線に線を繋げて、この線及び前記縦線に管理番号を割付けた要素関連表を記憶した第１の記憶手段と、
前記要素項目に関連する単語を記憶した第２の記憶手段と、
分類テーブルが生成される第３の記憶手段と、
前記討議者毎に、備えられたマイクロホンとを備え、
前記要素関連表の管理番号と該管理番号の要素項目とを対応させ、かつ前記単語の書き込み領域を有する分類テーブルを生成するステップと、
前記要素関連表を読み出して、前記担当者の画面に表示するステップと、
前記要素関連表の縦線又は前記自分の横線に繋げた線が指定されたとき、その線が繋がっている横線の要素項目を前記話者端末に送信するステップと、
前記マイクロホンからの音声信号を解読し、該音声データから前記第２の記憶手段に記憶されている単語を認識するステップと、
前記認識した単語に一致する前記要素項目が前記分類テーブルに存在したとき、該要素項目の管理番号に対応する前記書込領域に前記認識した単語を書き込むステップと、
前記分類テーブルの管理番号に対応する前記認識した単語の数を計数するステップと、
前記管理番号の計数値に応じた色値を求め、該色値を求めた計数値に対応する前記管理番号が割付けられている前記縦線又は前記自分と繋げた線を前記求めた色値の色で表示させるステップと
を行うことを要旨とする。
【００１４】
本発明の討議評価支援プログラムは、与えた討議項目を討議者に討議させて、その話の内容を、解析者端末に送信して該解析者端末からの補正値情報で前記討議者の討議内容の量を補正して担当者の画面に表示する討議評価支援プログラムである。
【００１５】
番号順に７本の横線を及び該７本の横線に前記要素項目を対応させて、上位の横線毎に、その上位の横線より下位の番号となる下位の各横線に１本毎に縦線を繋げると共に、下位の横線毎に、その下位の横線より番号が上位の各横線に１本毎に縦線を繋げ、かついずれの横線も自分の横線に線を繋げて、この線及び前記縦線に管理番号を割付けた要素関連表を記憶した第１の記憶手段と、
前記要素項目に関連する単語を記憶した第２の記憶手段と、
分類テーブルが生成される第３の記憶手段と、
前記討議者毎に、備えられたマイクロホンとを備え、
コンピュータが、
前記要素関連表の管理番号と該管理番号の要素項目とを対応させ、かつ前記単語の書き込み領域を有する分類テーブルを生成する手段、
前記要素関連表を読み出して、前記担当者の画面に表示する手段、
前記要素関連表の縦線又は前記自分の横線に繋げた線が指定されたとき、その線が繋がっている横線の要素項目を前記話者端末に送信する手段、
前記マイクロホンからの音声信号を解読し、該音声データから前記第２の記憶手段に記憶されている単語を認識する手段、
前記認識した単語に一致する前記要素項目が前記分類テーブルに存在したとき、該要素項目の管理番号に対応する前記書込領域に前記認識した単語を書き込む手段、
前記分類テーブルの管理番号に対応する前記認識した単語の数を計数するカウンタ手段、
前記管理番号の計数値に応じた色値を求め、該色値を求めた計数値に対応する前記管理番号が割付けられている前記縦線又は前記自分と繋げた線を前記求めた色値の色で表示させる手段
としての機能を実行することを要旨とする。
【００１６】
本発明の討議評価支援システムは、司会者端末と討議者端末と解析者端末とサーバとを通信ネットワークで接続する一方、話者毎にマイクロホンを設けて、このマイクロホンからの音声信号を受信するための解析者の音声レシーバとを備えて、与えた討議項目を討議者に討議させて、その話の内容を、前記解析者端末に送信して該解析者端末からの補正値情報で前記討議者の討議内容の量を補正して担当者の画面に表示する討議評価支援システムである。
【００１７】
前記司会者端末は、
番号順に７本の横線を及び該７本の横線に前記要素項目を対応させて、上位の横線毎に、その上位の横線より下位の番号となる下位の各横線に１本毎に縦線を繋げると共に、下位の横線毎に、その下位の横線より番号が上位の各横線に１本毎に縦線を繋げ、かついずれの横線も自分の横線に線を繋げて、この線及び前記縦線に管理番号を割付けた要素関連表を記憶した第１の記憶手段と、
前記第１の記憶手段から要素関連表を読み出して画面に表示させ、該要素関連表で指定された縦線の管理番号に対応する要素項目を読み出して、前記討議者端末及び解析者端末に送信する手段と、
前記サーバから補正値情報を受信し、該補正値情報の管理番号に対応する前記横線又は自分を繋げた線を該補正値情報の色値で色別表示する手段と、
前記要素関連表の全ての管理番号及びこれらの管理番号に対応する要素項目並びに話をさせる前記討議者の番号を含む話者検討識別情報を生成して前記サーバに送信する手段と
を備え、
前記サーバは、
前記要素項目に関連する単語を記憶した第２の記憶手段と、
分類テーブルが生成される第３の記憶手段と、
前記話者検討識別情報を受信し、この話者検討識別情報に含まれている管理番号と該管理番号の要素項目とを対応させ、かつ前記単語の書き込み領域を有する分類テーブルを生成する手段と、
前記話者検討識別情報に含まれている話者の番号に対応するマイクロホンからの音声信号を解読し、該音声データから前記第２の記憶手段に記憶されている単語を認識する手段と、
前記認識した単語に一致する前記要素項目が前記分類テーブルに存在したとき、該要素項目の管理番号に対応する前記書込領域に前記認識した単語を書き込む手段と、
前記分類テーブルの管理番号に対応する前記認識した単語の数を計数し、この計数値を前記解析者端末からの補正値で補正した補正値情報を前記司会者端末に送信する手段と
を備えたことを要旨とする。
【発明の効果】
【００１８】
以上のように、本発明によれば、テーマと要素項目を決めた場合に、そのテーマと要素項目に関係のないことを話をしているかどうかを量的に評価した結果をリアルタイムで司会者に知らしめるので、誰がテーマと要素に沿ってどの程度の意味のある討論をしたかが分かる。
【発明を実施するための最良の形態】
【００１９】
図１は本実施の形態の討議評価支援システムの概略構成図である。本実施の形態はテレビ討論会を一例として説明する。本実施の形態ではｎ２法を使用した討議を一例として説明する。
【００２０】
図１に示すように、本実施の形態の評価支援システムは、複数の話者Ａｉ（Ａ１、Ａ２、・・・Ａ６）の話者端末ａｉ（ａ１、・・ａ６）とサーバ３と解析者端末４と司会者端末５とをＬＡＮで接続し、話者Ａｉのマイクロホン６ｉ（６ａ、６ｂ、・・・６ｆ）とサーバ３とをケーブルで接続し、司会者が示したｎ２法による要素項目（テーマ、要素）とに対しての話者Ａｉの話の状況を量的に示して、話がテーマと要素に沿った内容になるよう支援する。
【００２１】
前述のｎ２法は、図２に示すように中央に正六角形、この中央の正六角形の周囲に６個の正六角形を配置し（テーマ、要素が書き込まれる前の正六角形群をｎ２法基準六角形群という）、中央の正六角形にテーマｔｏを書き込み、周囲の正六角形にテーマに関連する要素（ｅ１〜ｅ６）を書き込み（要素項目（ｔｏ、ｅｉ）が書き込まれたものをｎ２法正六角形群Ｆｉという。そして、テーマと要素と、要素と要素とについて討議させる。また、図２に示すようにテーマｔｏに対しての各要素ｅ１〜ｅ６を記した第１層、各要素ｅ１、・・・又はｅ６を中央にしていく第２層、さらに同様にしてその下となる第３層・・・第５層とすることが可能である。
【００２２】
すなわち、図３に示すように、ｎ２法正六角形群Ｆｉと、後述する要素関連表Ｗｉとを表示し、要素関連表Ｗｉの関連バー（矢印で示した縦線）を、話内容の回数に基づいて色別表示する。これによって、司会者は、与えた要素と要素とに対してどの程度関連した話をしたかを量的に判断できる。なお、ｎ２法正六角形群Ｆｉと要素関連表Ｗｉとには、階層番号が表示される。
【００２３】
図３のｎ２法正六角形群Ｆｉの一層目は、中央の正六角形Ｔｏには、テーマｔｏが「イラク戦争」、Ｅ１の正六角形の要素ｅ１が「アメリカ」、Ｅ２の正六角形の要素ｅ２が「パン」、Ｅ３の正六角形の要素ｅ３が「イラン」、Ｅ４の正六角形の要素ｅ４が「石油」、Ｅ５の正六角形の要素ｅ５が「クルド人」、Ｅ６の正六角形の要素ｅ６が「核ミサイル」とされている。階層はいずれかの正六角形が指定されると、図２に示すように階層が変わる。
【００２４】
そして、図３は、第１層の管理番号１８が所定以上の回数であることを示す黄色、管理番号９は黄色で表示された場合を示している。また、要素関連表Ｗｉには階層検討要素識別情報Ｒｉ（階層、年月日、時間帯、司会者名、場所（テレビ局名、番組名、部室名）、各話者名（参加者名）等）が表示されている。
【００２５】
図４は司会者端末５の概略構成図である。司会者端末５は、図４に示すように、ｎ２法要素入力・表示手段１０と、要素関連表作成・表示手段１１と、検討識別情報作成・表示手段１２と、番号線色付け手段１６と、送受信部１７、話者情報表示手段１９等を備えている。
【００２６】
ｎ２法要素入力・表示手段１０は、メモリ１３にｎ２法基準正六角形群を記憶しており、このｎ２法基準正六角形群を画面に表示（階層１が表示される）させて、中央の正六角形Ｔｏにテーマｔｏを書き込みさせると共に、周囲の正六角形に要素ｅｉ（ｅ１、・・ｅ６）を書き込みさせる。そして、このｎ２法六角形群Ｆｉのテーマｔｏと要素ｅｉとを正三角形番号（Ｔｏ、Ｅ１、・・Ｅ６）に対応させて階層番号に関連させて記憶される。これらには、図示しないタイマーによって年月日、時刻等が付加されるのが好ましい。
【００２７】
また、１層目の周囲の正六角形が指定される毎に、その指定された正六角形の要素を中央の正六角形にして、この正六角形の周囲に６個の正六角形を生成して表示させ、新たに周囲の正六角形に新たな要素を入力させる（２層目）。下位層（例えば２層目）は、下位層（２層目）の周囲の６個の正六角形が指定されて、その指定された要素の周囲に６個の正六角形が表示されて要素が入力されたｎ２法六角形群が下位層（２層目）である。これらは、層毎に区別されてメモリ１３に記憶される。
【００２８】
また、ｎ２法要素入力・表示手段１０は、検討識別情報作成・表示手段１２からの階層検討要素識別情報Ｒｉ（階層、年月日、時間帯、司会者名、場所（テレビ局名、番組名、部室名）、参加者名等）を表示する。
【００２９】
要素関連表作成・表示手段１１は、ｎ２法要素入力・表示手段１０によって生成された階層毎のｎ２法六角形群Ｆｉの各要素項目情報（階層番号、正六角形番号（Ｔｏ、Ｅ１、・・・Ｅ６）、要素項目（ｔｏ、ｅ１・・ｅ６）を読み込み、メモリ１４に予め記憶されている要素関連表の入力欄に書き込んで、これを要素関連表Ｗｉ（図３参照）としてメモリ１４に記憶すると共に、画面１８に表示する。
【００３０】
また、要素関連表作成・表示手段１１は、番号線色付手段１６がメモリ１４の要素関連表Ｗｉの線に色値を割り付ける毎に、その管理番号の線を、その指定の色で表示させる。
【００３１】
さらに、要素管理表作成・表示手段１１は、サーバ３からの話者話傾向情報Ｍｉ（話者検討識別情報Ｊｉ（階層番号、管理番号、・・座席番号）、カウント値、補正値、修正カウント値）を受信し、管理番号をキーとしてメモリ１４の管理番号Ｚｉに対応させる。すなわち、メモリ１４には、図５に示す話者話傾向情報Ｍｉが記憶される。
【００３２】
そして、要素関連表Ｗｉのバー又は管理番号Ｚｉの選択で話者話傾向情報Ｍｉを画面に表示する（図６参照）。
【００３３】
前述の要素関連表Ｗｉは、図７に示すように、要素関連表の横線（ライン）の番号に対応させられたテーブルで管理されている。これらのテーブルは、ライン番号Ｒｏ、Ｒ１、・・Ｒ６に対応した正六角形番号（Ｔｏ、Ｅ１・・Ｅ６）が対応させられている。また、横線（ライン）に割り付けられている管理番号Ｚｉが対応させられている。さらに、管理番号には、要素のつながりが対応させられ、管理番号の意味を知らせている。また、ライン番号、正六角形の番号には実際に入力された要素が書き込まれる欄を対応させている。
【００３４】
検討識別情報作成・表示手段１２は、階層検討要素識別情報Ｒｉ（階層、司会者名、年月日、時間帯、場所、話者名、番組名、時刻等）が入力すると、これらをメモリ１５に一旦記憶すると共に、ｎ２法要素入力・表示手段１０を介して階層検討要素識別情報Ｒｉをメモリ１３のｎ２法正六角形群Ｆｉにリンク付けさせて記憶させると共に、要素関連表作成・表示手段１１によって要素関連表Ｗｉに階層検討要素識別情報Ｒｉをリンク付けさせる。この階層検討要素識別情報Ｒｉには、ｎ２法正六角形群Ｆｉを生成したときの時刻が付加される。
【００３５】
そして、司会者によって要素関連表Ｗｉの管理番号及び話しをさせる話者の座席番号が入力すると、メモリ１５に記憶している階層検討要素識別情報Ｒｉにこれらをリンク付けすると共に、メモリ１４から管理番号に対応した要素項目を読み出して、さらにリンク付けし、かつ階層をリンク付けした話者検討識別情報Ｊｉ（司会者名、年月日、時間帯、場所、各話者名、番組名、管理番号、選択された座席番号、階層、要素項目）を生成してメモリ１５に記憶する（図８参照）。
【００３６】
話者検討識別情報Ｊｉは、図８に示すように、階層検討要素識別情報Ｒｉに、番号要素項目表ｍｉを対応させている。この番号要素項目表ｍｉは、管理番号Ｚｉ（１、２、・・・・４９）に対応する要素関連表Ｗｉの要素項目を対応させている。例えば、管理番号１には「イラク戦争」、管理番号２には「イラク戦争（要素ｅｐからみたときのアメリカ（要素ｅｑ））を対応させている。
【００３７】
番号線色付手段１６は、後述するサーバ３からの話者話傾向情報Ｍｉ（階層検討要素識別情報Ｍｉ、カウント修正値、色値、・・・）を入力し、この情報の管理番号に対応する関連要素表Ｗｉの線を色値の色で表示させると共に、メモリ１４の管理番号に色値を対応させて保存させる。
【００３８】
話者情報表示手段１９は、図示しないメモリからテーブル画像（座席番号付き）を画面に表示し、メモリ１５に記憶されている話者検討識別情報Ｊｉを読み込み、この情報の座席番号に対応するテーブル画像の座席欄に氏名を表示すると共に、管理番号及び該管理番号に対応する要素項目をメモリ１４から読み出して、座席欄に表示する（図９参照）。
【００３９】
さらに、話者情報表示手段１９は、管理番号に対応するメモリ１４の回数（カウント値）を読み込んで、テーブル画像の座席欄に表示する（図９参照）。テーブル画像の座席欄にこれらの情報が書き込まれたものを座席情報という。
【００４０】
送受信部１７は、指示に基づいてｎ２法六角情報、テーブル画像、座席情報、要素関連表、話者検討識別情報等を話者端末又は解析者端末に送信する。
【００４１】
これらの各手段は、ソフトウエアであり、コンピュータによって実行される。また、送受信部は前述のソフトウエアの機能を有している。
【００４２】
図１０は本実施の形態のサーバの概略構成図である。サーバ３は図１０に示すように、送受信部２０と、検討識別情報が記憶されるメモリ２１と、話者話し傾向テーブル作成手段２２と、階層・要素項目抽出手段２３と、切換部２４と、デコーダ２５と、単語認識手段２８と、分類手段３０と、カウンタ３２と、話し傾向テーブル３３と、補正手段３４と、出力部３５と、更新手段３６等を備えて、話者の話し傾向を量的に話し傾向テーブル３３に記憶して、これを司会者端末に送信する。本実施の形態では、主にソフトウエア的なものを手段と記載している。
【００４３】
送受信部２０は、通信ネットワークを介して司会者端末５からの話者検討識別情報Ｊｉ（司会者名、年月日、時間帯、場所、各話者名、番組名、管理番号、選択された座席番号、階層、要素項目等））を受信し、この話者の話者検討識別情報Ｊｉをメモリ２１に保存すると共に、話者検討識別情報Ｊｉの選択された座席番号を読み込み、これを切換部２４に送出する。
【００４４】
話者話傾向テーブル作成手段２２は、メモリ２１に話者検討識別情報Ｊｉが記憶されたかどうかを監視し、話者検討識別情報Ｊｉが記憶されたときは、この話者検討識別情報Ｊｉの階層検討要素識別情報Ｒｉ（階層、司会者名、年月日、時間帯、場所、話者名、番組名等）を話傾向テーブル３３の識別領域に書き込む。この話傾向テーブル３３は、
図１２に示すように、階層検討要素識別情報Ｒｉが書き込まれる領域と、管理番号１〜４９が書き込まれた領域と、カウント値が書き込まれる領域と、補正値が書き込まれる領域と、修正カウント値が書き込まれる領域と、色値が書き込まれる領域とを有するテーブルであり、話者検討識別情報Ｊｉがメモリ２１に記憶される毎に、話者話傾向テーブル作成手段２２によって作成される。つまり、話者検討識別情報Ｊｉ毎に作成される。
【００４５】
階層検討要素識別情報Ｒｉと管理番号とカウント値と補正値と修正カウント値と色値とを総称して話者話傾向情報Ｍｉと称している。
【００４６】
要素項目対応付けテーブル作成手段２３は、話者話傾向テーブル作成手段２２によって階層検討要素識別情報Ｒｉが話傾向テーブル３３に書き込まれると、話者検討識別情報Ｊｉの番号要素項目表ｍｉの階層と、管理番号に対応する要素項目（階層毎のテーマと６個の要素）とを読み出して、図１３に示す要素項目対応付けテーブル３１（メモリ）を生成する。要素項目対応付けテーブル３１は、図１３に示すように、階層番号に、管理番号、要素項目討（総称して要素項目対応情報Ｖｉという）とを対応させたテーブルであり、管理番号に対応させた４９個のレコードを有する。
【００４７】
要素項目は、要素ｅｐからみたときの要素ｅｑ、要素ｅｑからみたときの要素ｅｐである。
【００４８】
切換部２４は、各マイクロホンのケーブルを接続し、座席番号に該当するマイクロホンからの音声信号をデジタル変換し、この音声データをメモリ２６に保存する。
【００４９】
単語認識手段２８は、メモリ２６の音声データを読み込み、これをメモリ４０に予め記憶されている単語データと比較して、単語を抽出して一旦、メモリ２９に記憶する。分類手段３０は、メモリ２９の単語と、データベース４１に記憶されている情報と比較して分類する。
【００５０】
データベース４１には図１１に示すように、要素と要素とに関連する単語が記憶されている。図１１のイラク→アメリカ、石油→イラン、・・・を分類用識別タグと称している。
【００５１】
前述のデータベース４１には、階層のテーマ（中央の六角形に書き込まれる要素）毎に、要素Ａから見た要素Ｂに関連する複数の単語が対応させられて記憶されている。これらを総称して分類用の基本情報とも称する。この分類用の基本情報は、討議の前に予めデータベース４１に記憶しておく。
【００５２】
また、分類手段３０は、分類できなかった単語を、解析者端末４に送信する。
【００５３】
すなわち、分類手段３０は、メモリ２９に記憶された単語を抽出し、この単語を有する分類用識別タグを読み込む。そして、読み込んだ分類識別タグの要素項目を有する討議要素項目対応情報Ｖｉ（階層番号、要素項目、管理番号）が要素項目対応付けテーブル３１に存在するかどうかを判断し、存在するときは、その管理番号に対応する書き込み領域に、抽出した単語を書き込む。
【００５４】
すなわち、話者の話内容は、この読み込まれた管理番号に分類されたことになる。書き込み領域に単語が書かれたものを討議要素項目分類情報Ｋｉ（（階層番号、要素項目、管理番号、分類された単語）と称する（図１３参照）。
【００５５】
カウンタ３２は、要素項目対応付けテーブル３１の管理番号毎の討議要素項目分類情報Ｋｉを一定時間毎に読み込み、分類された単語の数をカウントし、このカウント値を話傾向テーブル３３の管理番号に対応させて書き込む。このとき、カウンタ３２は、話傾向テーブル３３の階層検討情報の開始時刻からタイマー（図示せず）によって計数し、この計数した時刻を書き込んでいる。
【００５６】
補正手段３４は、解析者端末４からの補正値情報（階層番号、管理番号、補正値）を受信し、この階層番号、管理番号に対応する話傾向テーブル３３のカウント値に補正値を書き込むと共に、この補正値でカウント値を修正したカウント修正値を求め、これを対応させて書き込む。
【００５７】
出力部３５は、司会者端末５から話傾向要求情報（座席番号、階層番号、話者検討識別情報、管理番号）を受信したとき、これに対応する話者話傾向情報Ｍｉを司会者端末５に送信する。また、出力部３５は、話傾向テーブル３３にカウント値が書き込まれる毎に、カウント値が書き込まれた管理番号と要素項目（例えば、イラク戦争→アメリカ）と時間等を含む話傾向カウント情報を解析者端末４に送信する。
【００５８】
更新手段３０は、解析者端末４から分類不能情報（階層、テーマ、要素項目）を受信すると、これをデータベースに保存する。すなわち、データベース４１の分類用の基本情報が増加する。
【００５９】
図１４は解析者端末の概略構成図である。図１４に示すように、解析者端末４の解析者は、レシーバ４０を備え、マイクの音声信号を聞いている。また、解析者端末４は、データベース４２に、予め要素関連表、ｎ２法六角形群を記憶して、これを画面に表示している。また、出力部４４が受信した分類できない単語を画面に表示し、分類できない単語を要素関連表の管理番号ｚｉに割付けてサーバ３に送信させる。分類できなかった単語は、階層とテーマと要素とが表示されているので、話の内容から要素関連表の管理番号に割付ける。
【００６０】
例えば、分類できなかった単語（分類できない単語領域に表示）をマウスで選択し、で表示されている要素関連表のバー又は管理番号をマウスでクリックすると、この管理番号に分類できなかった単語を単語割付け手段４５が内部で割付ける。
【００６１】
そして、単語割付け手段４５は、管理番号と階層と要素項目と分類できなかった単語を一組にしてサーバ３に送信する。
【００６２】
また、補正値算出手段４６は、レシーバ４０を介して、話者の話の流れを解読し、この解読結果からパラメータを決めて所定の式に代入して補正値を算出させ、これを補正値としてサーバに送信する。送信にあたっては、受信した階層検討要素識別情報に補正値を付加した補正値情報として送信する。
【００６３】
上記のように構成されたシステムについて図１５、図１６のシーケンス図を用いて以下に説明する。
【００６４】
本実施の形態では、ｎ２法要素入力・表示手段１０によって、ｎ２法正六角形群Ｆｉが生成されて図３に示すように画面に表示され、要素関連表作成・表示手段１１によって要素関連表Ｗｉが生成されて画面に表示されている。
【００６５】
司会者は、画面の要素項目を確認して、討議させる要素項目を指定させる。例えば、Ｔｏ（イラク戦争）とＥ１（アメリカ）とを指定する。この指定によってＴｏは例えば黄色、Ｅ１は青で表示される（指定された正六角形には色が割付けられて記憶される）。先に指定した方がｅｐ、後で指定した方がｅｑであり、イラク戦争からアメリカを考えた場合について討議させることを意味する。
【００６６】
そして、送信指示が入力すると送受信部１９は、メモリ１３からｎ２法正六角形群Ｆｉ（正六角形に色付き）を読み出し、話者端末ａｉ（ａ１、・・・、ａ６）及び解析者端末４に送信する（ｄ１）。
【００６７】
また、送受信部１９は、要素関連表Ｗｉ（階層検討要素識別情報Ｒｉ付き）をメモリ１４から読み出して解析者端末４に送信する（ｄ２）。
【００６８】
また、送受信部１７は、メモリ１５の話者検討識別情報Ｊｉ（司会者名、年月日、時間帯、場所、各話者名、番組名、管理番号、選択された座席番号、階層、要素項目）をサーバ３に送信する（ｄ３）。
【００６９】
サーバ３の送受信部２０は、話者検討識別情報Ｊｉをメモリ２１に記憶すると共に（ｄ４）、話者検討識別情報Ｊｉから司会者によって選択された座席番号を読み出し、これを切換部２４に送出して、座席番号に対応するマイクロホンを選択する（ｄ５）。このマイクロホンからの音声信号はデコーダ２５に入力して、デジタル変換されてメモリ２６に保存される。前述のマイクロホンの選択に伴ってマイクロホンの音声信号は解析者のレシーバーに出力される（ｄ６）。この音声信号は、解析者の指示（階層検討要素識別情報Ｒｉ付き）によって録音装置に記憶されるようにするのが好ましい。
【００７０】
前述のｎ２法正六角形群Ｆｉは、中央の正六角形Ｔｏのテーマｔｏに「イラク戦争」、周囲の正六角形Ｅ１の要素ｅ１が「アメリカ」、周囲の正六角形Ｅ２の要素ｅ２が「パン」、周囲の正六角形Ｅ３の要素ｅ３が「イラン」、周囲の正六角形Ｅ４の要素ｅ４が「石油」、周囲の正六角形Ｅ５の要素ｅ５が「クルド人」、周囲の正六角形Ｅ６の要素ｅ６が「核ミサイル」とされているとする。
【００７１】
一方、サーバ３の要素項目対応付けテーブル作成手段２３は、階層検討要素識別情報Ｒｉが話傾向テーブル３３に書き込まれると、話者検討識別情報Ｊｉの番号要素項目表ｍｉの階層と、管理番号Ｚｉ（管理番号１、２、・・・４９）に対応する要素項目（階層毎のテーマと６個の要素）とを読み出して、図１３に示す要素項目対応付けテーブル３１を生成する（ｄ７）。
【００７２】
例えば、番号要素項目表ｍｉの管理番号１の要素が「イラク戦争」、管理番号２の要素が「イラク戦争」から「アメリカ」・・・の場合は、図１３の要素項目対応付けテーブル３１の管理番号１の要素項目欄（ｅｐ→ｅｑ）には「イラク戦争」→「イラク戦争」と書き込まれ、管理番号２の要素項目欄（ｅｐ→ｅｑ）には「イラク戦争」→「アメリカ」と書き込まれていく。
【００７３】
話者話傾向テーブル作成手段２２は、メモリ２１に話者検討識別情報Ｊｉが記憶されたときは、この話者検討識別情報Ｊｉの階層検討要素識別情報Ｒｉ（階層、司会者名、年月日、時間帯、場所、話者名、番組名等）を話傾向テーブル３３の識別領域に書き込む（ｄ８）。
【００７４】
次に、単語認識手段２８は、デコーダ２５がメモリ２６に記憶した音声データを読み込み、メモリ４０の単語データと比較して単語を認識して抽出してメモリ２９に記憶する（ｄ１０）。
【００７５】
分類手段３０は、メモリ２９の単語と、データベース４１に記憶されている情報と比較して分類できるかどうかを判断する（ｄ１１）。
【００７６】
前述のデータベース４１には、階層のテーマ（中央の六角形に書き込まれる要素）毎に、要素Ａから見た要素Ｂに関連する複数の単語（分類用の基本情報）が記憶されている。また、分類手段３０は、分類できなかった単語を解析者端末４に送信する（ｄ１２）。
【００７７】
分類できると判定したときは、分類手段３０は、メモリ２９に記憶された単語を抽出し、この単語を有する分類用識別タグを読み込む。そして、読み込んだ分類識別タグの階層と要素項目とを有する討議要素項目対応情報Ｖｉ（階層番号、要素項目、管理番号）が要素項目対応付けテーブル３１に存在するかどうかを判断し、存在するときは、その管理番号に対応する書き込み領域に、抽出した単語を書き込む（ｄ１３）。すなわち、話者の話内容は、この読み込まれた管理番号に分類されたことになる（討議要素項目分類情報Ｋｉ（（階層番号、要素項目、管理番号、分類された単語）：図１３参照）。
【００７８】
次に、カウンタ３２は、要素項目対応付けテーブル３１の管理番号毎の討議要素項目分類情報Ｋｉを一定時間毎に読み込み、管理番号で分類された単語の数をカウントし、このカウント値を話傾向テーブル３３の管理番号に対応させて書き込む（ｄ１４）。
【００７９】
また、出力部３５は、話傾向テーブル３３にカウント値が書き込まれる毎に、話傾向カウント情報Ｌｉを解析者端末４に送信する（ｄ１５）。
【００８０】
一方、解析者端末４は、図１７に示すような画面を表示しており、サーバ３からの分類できない単語は、分類不可能画面に表示される。この分類不可能画面に表示された単語と、レシーバの話内容から分類できない単語を解析者は分類する。例えば、イラク戦争とミサイルについて話をしているとき、商社が分類できない単語となっていたときは、イラク戦争、石油をタグとし、このタグに商社を付加してサーバ３に送信する。
【００８１】
また、解析者端末４は話傾向カウント情報Ｌｉを画面（表示部）に表示し、実際のカウント値と選択された座席番号の話者の話内容から所定のパラメータ値を決定する。補正値算出手段４６は、パラメータ値を所定の式に代入して補正値を算出させ（ｄ１７）、階層検討要素識別情報に補正値を付加した補正値情報としてサーバ３に送信する（ｄ１８）。
【００８２】
サーバ３の補正手段３４は、解析者端末４からの補正値情報（階層番号、管理番号、補正値）を受信し、この階層番号、管理番号に対応する話傾向テーブル３３のカウント値に補正値を書き込むと共に、この補正値でカウント値を修正したカウント修正値を求め、これを対応させて書き込む（ｄ１９）。
【００８３】
次に、サーバ３の出力部は、話者話傾向情報Ｍｉを読み込んで、これを司会者端末５に送信する（ｄ２１）。
【００８４】
司会者端末の番号線色付手段１６は、サーバ３からの話者話傾向情報Ｍｉ（階層検討要素識別情報Ｍｉ、カウント修正値、色値、・・・時間）を入力し、この情報の管理番号に対応する関連要素表Ｗｉの線を色値の色で表示させる（ｄ２２）。図３を参照
従って、司会者は、ある要素と要素とについて話しをさせているとき、この話者がある要素と要素とについて関係する事項をどの程度、話しているかを視覚的に判断できる。  また、司会者は、必要によって、色付けされた要素関連表を話者端末に送信する（ｄ２３）。これによって、話者に元の話に戻るように換言できる。
【００８５】
なお、上記実施の形態では図３に示す要素関連表を用いて説明したが、図１８に示すように、各横線との関連を１本の矢印で示す要素関連表でもよい。
【００８６】
また、上記のサーバの各手段を及びメモリ、データベースを司会者端末に設けてもよい。
【００８７】
さらに、管理番号１〜１２までは、管理番号が示す矢印を該当の正六角形同士上に表示させて、その正六角形のいずれから引き出し線を出して、そこに修正カウント値（回数）を表示すると共に、カウントしたときまでの時間（話時間）を表示させてもよい（図１９参照）。
【図面の簡単な説明】
【００８８】
【図１】図１は本実施の形態の討議評価支援システムの概略構成図である。
【図２】ｎ２法を説明する説明図である。
【図３】本実施の形態の要素関連表Ｗｉの色別表示を説明する説明図である。。
【図４】司会者端末５の概略構成図である。
【図５】話者話傾向情報Ｍｉを説明する説明図である。
【図６】要素関連表Ｗｉの色別表示と話者話傾向情報Ｍｉとの関係を説明する説明図である。
【図７】要素組合せテーブルを説明する説明図である。
【図８】話者検討識別情報Ｊｉを説明する説明図である。
【図９】司会者端末に表示されるテーブル画像の説明図である。
【図１０】本実施の形態のサーバの概略構成図である。
【図１１】データベース４１の分類用の基本情報を説明する説明図である。
【図１２】話傾向テーブル３３を説明する説明図である。
【図１３】要素項目対応付けテーブル３１を説明する説明図である。
【図１４】解析者端末の概略構成図である。
【図１５】本実施の形態の動作を説明するシーケンス図である。
【図１６】本実施の形態の動作を説明するシーケンス図である。
【図１７】解析者端末４の画面を説明する説明図である。
【図１８】他の実施の形態の要素関連表を説明する説明図である。
【図１９】他の実施の形態の討議内容の回数表示を説明する説明図である。
【符号の説明】
【００８９】
ａｉ  話者端末ａｉ（ａ１、・・ａ６）
３  サーバ
４  解析者端末
５    司会者端末
６ｉ  マイクロホン６ｉ（６ａ、６ｂ、・・・６ｆ）
１０  ｎ２法要素入力・表示手段
１１  要素関連表作成・表示手段
１２  検討識別情報作成・表示手段
１６  番号線色付け手段
１７  送受信部
１９  話者情報表示手段
２０  送受信部
２２  話者話し傾向テーブル作成手段
２３  階層・要素項目抽出手段
２４  切換部
２５  デコーダ
２８  単語認識手段
３０  分類手段
３２  カウンタ
３３  話し傾向テーブル
３４  補正手段
３５  出力部
３６    更新手段
【図１】
2009098740.tif 000003
【図２】
2009098740.tif 000004
【図３】
2009098740.tif 000005
【図４】
2009098740.tif 000006
【図５】
2009098740.tif 000007
【図６】
2009098740.tif 000008
【図７】
2009098740.tif 000009
【図８】
2009098740.tif 000010
【図９】
2009098740.tif 000011
【図１０】
2009098740.tif 000012
【図１１】
2009098740.tif 000013
【図１２】
2009098740.tif 000014
【図１３】
2009098740.tif 000015
【図１４】
2009098740.tif 000016
【図１５】
2009098740.tif 000017
【図１６】
2009098740.tif 000018
【図１７】
2009098740.tif 000019
【図１８】
2009098740.tif 000020
【図１９】
2009098740.tif 000021